(57)【要約】      （修正有）【課題】使用者がロック解除、ロック操作及び着火操作を容易に行うことができるライターの着火機構の安全構造を提供する。【解決手段】使用者が把持しうるケースを有するライターに備えられた着火機構の安全構造であって、着火機構は、ケース上面部に設けられ、ケース上面部に開設された開口部内に上下方向に回動して出没可能に配設され、ケース下方へ回動させることにより着火する着火レバーを有すると共に、着火レバーのケース下方への回動動作を着火レバーの回動方向において解除可能に阻止するロック部を有する。【選択図】図４
0003162622.tif 000002
【実用新案登録請求の範囲】
【請求項１】
使用者が把持しうるケースを有するライターに備えられた着火機構の安全構造であって、
上記ケース上面部に設けられ、上記ケース上面部に開設された開口部内に上下方向に回動して出没可能に配設され、ケース下方へ回動させることにより着火する着火レバーを有すると共に、上記着火レバーのケース下方への回動動作を、上記着火レバーの回動方向において解除可能に阻止するロック部を有することを特徴とするライターの着火機構における安全構造。
【請求項２】
上記ロック部は、上記開口部周縁に解除可能に係止する上記着火レバーに設けられたロック部材により構成されていることを特徴とする請求項１記載のライターの着火機構における安全構造。
【請求項３】
上記ロック部は、上記ケースの内方下部であって上記着火レバーの下方に設けられ、上記着火レバーと解除可能に係合し上記ケース下方への回動を阻止しうると共に、上記着火レバーとの係合を解除することにより上記着火レバーのケース下方へ回動させうるロック部材を有することを特徴とする請求項１記載のライターの着火機構における安全構造。
【請求項４】
上記着火レバーは細長箱状に形成され、長さ方向の一端部において上記ケースに設けられた軸部に回動可能に固定され、
上記ロック部材は、上記着火レバーの幅方向に沿って内装された軸部に上下方向に回動可能に固定され、上端部には操作部を有すると共に下端部には上記開口部周縁と係止する係止部を有することを特徴とする請求項２記載のライターの着火機構における安全構造。
【請求項５】
上記ロック部は、上記ケースの上下方向において上記着火レバーに対向して配置されると共にケース幅方向に設けられた軸部に上記ケースの前後方向に沿って回動可能に設けられ、ケース下面部に配設された操作部と、ケース内部に配置され、ロック時には上記着火レバーの下端部に係合して着火レバーの下方への回動を阻止しうる係合部とを有することを特徴とする請求項３記載のライターの着火機構における安全構造。
【考案の詳細な説明】
【技術分野】
【０００１】
本考案はライターの着火機構における安全構造に関する。
【背景技術】
【０００２】
一般に、ガス調理器具等に点火する場合等において、ライターが広く使用されており、容易に先端部より発火させることができることから、子供が誤って発火操作することのないように、安全装置が設けられたライターがある。
【０００３】
図８に示すように、このようなライター５０にあっては、放電電圧を供給する圧電ユニット５１の伸縮スライド部５３に接合され、軸方向にスライドして、上記圧電ユニット５１を作動させうる着火レバー５４と、上記着火レバー５４を包囲して設けられている保護枠５５と、ロック時に上記着火レバー５４のスライド動作を阻止しうると共に非ロック時には上記着火レバー５４のスライド動作を可能としうるロック部材５６が設けられている。
【０００４】
上記ロック部材５６は、上記着火レバー５４の下方において上記保護枠５５に、ロック時には上記保護枠５５から外方へ突出しており、使用時には上記ロック部材５６を保護枠５５の内方へ押し込むことにより上記着火レバー５４をスライドさせて圧電ユニット５１を駆動させて、放電電圧を供給させてガスボンベ５７から放出されるガスに引火させて発火さるように構成されている。
【０００５】
しかしながら、このような従来のライター５０にあっては、ライター５０を使用する場合には、ケース５８を握持して、例えば、例えば、薬指又は小指を保護枠５５の外方から上記ロック部材５６を押圧してロック状態を解除すると共に、例えば、人差し指を上記保護枠５５内に挿入して上記着火レバー５４を押圧することにより発火させる必要があり、着火レバー５４を操作する指の動作方向と上記ロック部材５６を操作する指の動作方向が異なることから、ロック解除の操作及びロック操作が行いにくく、かつ、着火操作が行いにくい、という不具合があった。
【考案の開示】
【考案が解決しようとする課題】
【０００６】
本考案の課題は、使用者がロック解除、ロック操作及び着火操作を容易に行うことができる着火機構の安全構造を備えたライターを提供することにある。
【課題を解決するための手段】
【０００７】
請求項１記載の考案にあっては、使用者が把持しうるケースを有するライターに備えられた着火機構の安全構造であって、上記着火機構は、上記ケース上面部に設けられ、上記ケース上面部に開設された開口部内に上下方向に回動して出没可能に配設され、ケース下方へ回動させることにより着火する着火レバーを有すると共に、上記着火レバーのケース下方への回動動作を上記着火レバーの回動方向において解除可能に阻止するロック部を有することを特徴とする。
【０００８】
従って、請求項１記載の考案にあっては、使用者は上記ロック部を上記着火レバーの回動方向において解除するとと共に上記着火レバーを上記ケース下方へ回動させることにより着火させることができる。
【０００９】
請求項２記載の考案にあっては、上記ロック部は、上記開口部周縁に解除可能に係止する上記着火レバーに設けられたロック部材とにより構成されていることを特徴とする。
従って、請求項２記載の考案にあっては、上記着火レバーに設けられたロック部材が上記開口周縁部に係合することにより着火レバーの作動はロックされると共に、使用時には着火レバーに設けられたロック部材により着火レバーのロックを解除することができる。
【００１０】
請求項３記載の考案にあっては、上記ロック部は、上記ケースの内方下部であって上記着火レバーの下方に設けられ、上記着火レバーと解除可能に係合し上記ケース下方への回動を阻止しうると共に、上記着火レバーとの係合を解除することにより上記着火レバーのケース下方へ回動させうるロック部材を有することを特徴とする。
従って、請求項３記載の考案にあっては、ケースの内方下部であって上記ケース内方下部に設けられたロック部材により上記着火レバーの下方への回動動作はロックされる。
【００１１】
請求項４記載の考案にあっては、上記着火レバーは細長箱状に形成され、長さ方向の一端部において上記ケースに設けられた軸部に回動可能に固定され、上記ロック部材は、上記着火レバーの幅方向に沿って内装された軸部に上下方向に回動可能に固定され、上端部には操作部を有すると共に下端部には上記開口部周縁と係止する係止部を有することを特徴とする。
従って、請求項４記載の考案にあっては、着火レバーに設けられたロック部材の操作部を操作して上記係止部の上記開口部周縁との係合を解除することにより着火レバーの下方への回動を行わせることができる。
【００１２】
請求項５記載の考案にあっては、上記ロック部は、上記ケースの上下方向において上記着火レバーに対向して配置されると共にケース幅方向に設けられた軸部に上記ケースの前後方向に沿って回動可能に設けられ、ケース下面部に配設された操作部と、ケース内部に配置され、ロック時には上記着火レバーの下端部に係合して着火レバーの下方への回動を阻止しうる係合部とを有することを特徴とする。
従って、請求項５記載の考案にあっては、上記ケース下面部に配設された操作部を操作することにより、上記係合部の着火レバーの下端部との係合を解除することにより着火レバーの下方への回動動作を行わせることができる。
【考案の効果】
【００１３】
請求項１記載の考案にあっては、使用者は上記ロック部を上記着火レバーの回動方向において解除するとと共に上記着火レバーを上記ケース下方へ回動させることにより着火させることができることから、着火レバーの作動方向とロック部の解除又はロック操作方向が一致する。
その結果、使用者が上記ケースを把持した場合であっても、ロック部の操作及び解除動作の方向と同一の方向で着火レバーの回動動作を行うことができ、従来のように着火レバーを操作する指の動きとロック部によるロック操作及び解除の動作を行う指の動きと異なる動きをする必要がなく、使用者は容易にロック操作及び解除と着火操作を行うことができる。
【００１４】
請求項２記載の考案にあっては、上記着火レバーに設けられたロック部材が上記開口周縁部に係合することにより着火レバーの作動はロックされると共に、使用時には着火レバーに設けられたロック部材により着火レバーのロックを解除することができることから、使用者は使用時には着火レバーを操作する同じ指でロック解除し、かつ着火レバーの操作を行うことができる。
【００１５】
請求項３記載の考案にあっては、ケースの内方下部であって上記着火レバーの下方に設けられたロック部材により上記着火レバーの下方への回動動作はロックされると共に上記着火レバーのロックを解除することができることから、上記ケースを把持した場合に、着火レバーと上記ロック部材の操作を指の同一方向における握持動作により行うことができるため、無理のない操作により着火操作を行うことができる。
【００１６】
請求項４記載の考案にあっては、着火レバーに設けられたロック部材の操作部を操作して上記係止部の上記開口部周縁との係合を解除することにより着火レバーの下方への回動を行わせることができることから、上記ケースを把持した場合に、同一の指の操作によりロック解除操作及び着火レバーによる着火操作を行うことができる。
【００１７】
請求項５記載の考案にあっては、上記ロック部は、上記ケースの上下方向において上記着火レバーに対向して配置され、上記ケース下面部に配設された操作部を操作することにより、上記係合部の着火レバーの下端部との係合を解除することにより着火レバーの下方への回動動作を行わせることができることから、上記ケースを把持して着火操作及びロック操作を、上記ケースの上下方向において把持した指の同一方向における握持動作により行うことができるため、容易に着火操作及びロック操作を行うことができる。
【図面の簡単な説明】
【００１８】
【図１】本考案に係るライターの着火機構における安全構造の第一の実施の形態を示す斜視図である。
【図２】本考案に係るライターの着火機構における安全構造の第一の実施の形態を示す断面図であって、安全構造を構成するロック機構が作用している状態を示す図である。
【図３】本考案に係るライターの着火機構における安全構造の第一の実施の形態を示す断面図であって、安全構造を構成するロック機構が解除された状態を示す図である。
【図４】本考案に係るライターの着火機構における安全構造の第一の実施の形態を示す断面図であって、安全構造を構成するロック機構が解除され、着火レバーにより着火された状態を示す図である。
【図５】本考案に係るライターの着火機構における安全構造の第二の実施の形態を示す断面図であって、安全構造を構成するロック機構が作用している状態を示す図である。
【図６】本考案に係るライターの着火機構における安全構造の第二の実施の形態を示す断面図であって、安全構造を構成するロック機構が解除された状態を示す図である。
【図７】本考案に係るライターの着火機構における安全構造の第二の実施の形態を示す断面図であって、安全構造を構成するロック機構が解除され、着火レバーにより着火された状態を示す図である。
【図８】従来のライターの着火機構における安全構造を示す一部断面図である。
【考案を実施するための最良の形態】
【００１９】
以下、添付図面に示す実施の形態に基づき本考案を詳細に説明する。
図１〜図４に示すように、本実施の形態に係るライター１０にあっては、ケース１１は全体略細長直方体形状に形成され、長さ方向一端部に発火口２０が設けられると共に、上面部１３の発火口２０寄りの部位には着火レバー１５が設けられ、上記着火レバー１５により、上記ケース１１の上部に内装された圧電ユニット２１を作動させると共に、上記ケースの下部に内装されたガスボンベ２２を開操作することによりガスに着火することで発火させるものであり、使用者は上記ケース１１を把持して使用するように構成されている。
【００２０】
図１〜４に示すように、着火機構１２は、上記ケース１１の上面部１３に設けられ、上記ケース１１の上面部１３に開設された開口部１４内に上下方向に回動して出没可能に配設され、ケース１１の下方へ回動させることにより着火する着火レバー１５を有すると共に、上記着火レバー１５のケース１１の下方への回動動作を、上記着火レバー１５の回動方向において解除可能に阻止するロック部１６を有している。
【００２１】
本実施の形態にあっては、上記ケース１１は全体略四角柱状に形成され、上部には側面略三角形状の凹部１７が幅方向に亘って形成されている。上記凹部１７は、凹部上面部２５と凹部前面部２６とにより構成されており、上記凹部上面部２６内に上記開口部１４が設けられ、上記開口部１４内に着火レバー１５が配設されている。
【００２２】
上記着火レバー１５は、側方断面略台形状に形成されると共に全体細長中空箱状に形成され、長さ方向における後端部１９において上記ケース１１の上面部１３の内方に設けられた軸部１８に回動可能に固定され、上記軸部１８を中心に上下方向に回動するよう構成されている。
【００２３】
上記着火レバー１５の後端部には圧電ユニット押圧部２３が設けられ、上記着火レバー１５が軸部１８を中心に下方へ回動した場合には、軸部３７を中心に回動可能に設けられたカム２４を介して圧電ユニットスライド部３９を押圧して発火するように構成されている。
【００２４】
上記着火レバー１５の前端部にはロック部１６が設けられている。上記ロック部１６は、上記開口部１４の周縁を形成する凹部前面部２６の下縁部２６ａに解除可能に係止するロック部材２７により構成されている。
上記ロック部材２７は、上記着火レバー１５の幅方向に沿って内装された軸部２８に上下方向に回動可能に固定されたレバー部２９と、上記レバー部２９の裏面側に固定され、ガスボンベ２２のガスレバー３８を押圧しうるガスレバー押圧部３６と、上記レバー部２９の下端部に形成された係止段部３０と、上記レバー部２９の最下端部に形成されたストッパ部３５と、上記レバー部２９の上端部に形成された操作部３１とを有している。
【００２５】
また、上記ガスレバー押圧部３６の上端部には突部３２が設けられ、上記着火レバー１５の上面部の内側にも突部３３が形成され、上記突部３２と突部３３との間には、上記突部３２を常時下方へ付勢しているスプリング３４が配設されている。
従って、上記ロック部材２７は上記スプリング３４の付勢力により、上記軸部２８を中心に時計方向に付勢された状態にあり、上記ストッパ部３５は上記凹部前面部２６の下縁部２６ａに下方から係合した状態にあると共に、上記操作部３１は着火レバー１５の表面部３４上に突出した状態となっている。
【００２６】
以下、本実施の形態に係るライターの作用について説明する。
本実施の形態に係るライター１０にあっては、非使用時には図２に示すように、上記着火レバー１５はケース１１の凹部１７内において上面部１３の一般面よりも上方へ突出している。
この場合、使用者が、単に上記着火レバー１５を下方へ押し込んだ場合には、上記のようにロック部材２７のレバー部２９の係止段部３０が上記凹部前面部２６の下縁部２６ａに係合していることから、着火レバー１５は回動せず、着火されない。従って、上記ロック部１６により児童等によるイタズラの着火が有効に防止される。
【００２７】
一方、使用者が着火する場合には、図３に示すように、上記ロック部１６の操作部３１を下方へ押しつつ、着火レバー１５を下方へ押し込む。上記操作部３１を下方へ押すことによりレバー部２９は軸部２８を中心に反時計方向へ回動し、レバー部２９の先端部に形成された係止段部３０は、上記凹部前面部２６の下縁部２６ａとの係合が解除されることから、着火レバー１５は軸部１８を中心に反時計方向に回動する。
【００２８】
図４に示すように、この回動動作により上記圧電ユニット押圧部２３は上記カム２４を押すことから、カム２４は時計方向に回動し、上記圧電ユニット２１を押圧する。同時に、上記回動動作により、ガスレバー押圧部３６が上記ガスレバー３８を押圧することにより、ガスボンベ２２からガスが供給される
その結果、ガスボンベ２２から供給されたガスに圧電ユニット２１における電気的スパークにより発生した火花が引火し、発火した炎が発火口２０から放出される。
【００２９】
図５〜図１１は、本考案に係るライターの着火機構における安全構造の他の実施の形態を示す。なお、前記実施の形態と同一の部材に関しては同一の符号を付して説明を省略する。
本実施の形態にあっては、上記ロック部４０は、上記ケース１１の内方下部であって上記着火レバー１５の下方に設けられている。
上記着火レバー１５と解除可能に係合し上記ケース１１の下方への回動を阻止しうると共に、上記着火レバー１５との係合を解除することにより上記着火レバー１５のケース１１の下方へ回動させうるロック部材４１を有している。
【００３０】
上記ロック部材４１は、側方断面略Ｌ字状に形成され、上記ケース１１の上下方向において上記着火レバー１５に対向して配置されると共にケース１１の幅方向に設けられた軸部４２に上記ケース１１の前後方向に沿って回動可能に設けられ、ケース１１の下面部４３に形成された開口部４６内に配設された操作部４４と、ケース１１の内部に配置され、ロック時には上記着火レバー１５の下端部に形成されたストッパ部３５に係合して着火レバー１５の下方への回動を阻止しうる係合部４５とを有している。
【００３１】
以下、本実施の形態に係るライターの着火機構における安全構造の作用について説明する。
通常時には、図５に示すように、ロック部材４１の係合部４５が上記着火レバー１５のストッパ部３５に係合していることから、使用者が単に、上記着火レバー１５を下方へ押し込もうとした場合であっても、着火レバー１５は回動せず、着火されない。従って、上記ロック部４０により児童等によるイタズラの着火が有効に防止される。
【００３２】
一方、使用者が着火する場合には、図６に示すように、上記ケース１１の下面部４３に設けられたロック部１６の操作部４４をケース１１の内方へ押した後に、着火レバー１５を下方へ押し込む。
上記操作部４４のケース１１の内方への押し込み動作により、ロック部材４１は軸部４２を中心に反時計方向に回動し、上記係合部４５と上記ストッパ部３５との係合は解除されることから、図７に示すように、着火レバー１５は軸部１８を中心に反時計方向に回動する。
【００３３】
この回動動作により上記圧電ユニット押圧部２３は上記カム２４を押すことから、カム２４は時計方向に回動し、上記圧電ユニットスライド部３９を押圧する。同時に、上記回動動作により、ガスレバー押圧部３６が上記ガスレバー３８を押圧することにより、ガスボンベ２２からガスが供給される
その結果、ガスボンベ２２から供給されたガスに圧電ユニット２１における電気的スパークにより発生した火花が引火し、発火した炎が発火口２０から放出される。
【符号の説明】
【００３４】
１０  ライター
１１  ケース
１２  着火機構
１３  上面部
１４  開口部
１５  着火レバー
１６  ロック部
１７  凹部
１８  軸部
１９  後端部
２０  発火口
２１  圧電ユニット
２２  ガスボンベ
２３  圧電ユニット押圧部
２４  カム
２５  凹部上面部
２６  凹部前面部
２７  ロック部材
２８  軸部
２９  レバー部
３０  係止部
３１  操作部
３２  突部
３３  突部
３４  表面部
３５  ストッパ部
３６  ガスレバー押圧部
３７  軸部
３８  ガスレバー
３９  圧電ユニットスライド部
４０  ロック部
４１  ロック部材
４２  軸部
４３  下面部
４４  操作部
４５  係合部
４６  開口部
５０  ライター
５１  圧電ユニット
５３  スライド部
５４  着火レバー
５５  保護枠
５６  ロック部材
５７  ガスボンベ
【図１】
0003162622.tif 000003
【図２】
0003162622.tif 000004
【図３】
0003162622.tif 000005
【図４】
0003162622.tif 000006
【図５】
0003162622.tif 000007
【図６】
0003162622.tif 000008
【図７】
0003162622.tif 000009
【図８】
0003162622.tif 000010